【手続補正書】
【提出日】平成16年9月24日(2004.9.24)
【手続補正１】
【補正対象書類名】明細書
【補正対象項目名】００１３
【補正方法】変更
【補正の内容】
【００１３】
【実施例】
本発明の実施例を図面を参照して以下詳述説明する。
［実施例１］
本発明の第１実施例について、図１を参照して説明する。図１は、親と同居している子女が２階を使用しており、自分の部屋の一部に身支度動線配慮スペースを設けた住宅を設計した場合の例である。図１（ａ）が２階の間取り図であり、図１（ｂ）は身支度動線配慮スペース（１）の概略説明図である。図１において、（１）は身支度動線配慮スペースであり、（２）から（５）の各スペースおよび（６）の全身鏡により１つの身支度動線配慮スペースが完成する。（２）はクロゼットであり、（２ａ）がオーバー・コート用、（２ｂ）がスーツ用、（２ｃ）はセーター・ブラウス用の収納スペースである。（３）は事務通信スペースであり、（３ａ）は予定表等の貼付スペースとしてのコルクボード、（３ｂ）はパソコン、（３ｃ）は引出しである。（４）は簡単洗面化粧スペースであり、（４ａ）は小窓、（４ｂ）は簡易洗面、（４ｃ）は拡大鏡、（４ｄ）は洗濯物入れ、（４ｅ）はクリーニング入れである。（５）は小物・カバンスペースであり、（５ａ）はカバン・荷物置き場、（５ｂ）はアクセサリー入れ、（５ｃ）はマフラー・スカーフ・ストッキング入れ、（５ｄ）は手袋・ハンカチ入れである。（６）は全身鏡である。
このような身支度動線配慮スペースがあれば、身支度を集約的に１箇所で準備でき、特に仕事を持つ人にあっては、短時間で身支度のすべてが完了することになる。使用方法を以下、出かける前と帰宅時に分けて説明する。
（出かける場合）
まず、クロゼット（２）で、本日の服装を取り出し着替える。そして、コンタクトに変えたり、髪をセットしたり、お化粧を（３）で整える。そのとき、本日の天候を小窓（４ａ）で確認し、天候に合った、化粧や髪型、服装を想定して行う。さらに、（５ｂ）でアクセサリーや手袋、マフラー、ストッキングを用意し、本日の用事に適したカバンを取り出し、そして、全身の最終チェックを全身鏡で行い、身支度が完了することとなる。また、緊急の連絡が電子メールで送られて来る人であれば、出かける前にもメールを事務通信スペース（３）でチェックすることも可能となる。このような集約的身支度スペースがあれば、家のあちこちを動き回ることなく短時間で身支度のすべてが完了し非常に忙しい朝の出勤が楽に整うこととなる一方、忘れ物もなくなり事務処理上も好ましい。
（帰宅時）
帰宅した場合は、自宅の郵便受けに新聞や郵便物が届いている場合が多く、まず、これらを無くさない用事務通信スペース（３）に置く。次にオーバーや各種小物を収納し、簡単洗面化粧スペース（４）で手洗いうがいを行う。さらに、着替えが必要であれば、着替えを済ませ、洗濯物は（４ｄ）に入れ、クリーニングに出すものは（４ｅ）に入れる。そして、先ほどの郵便物のチェック、メールのチェック、仕事において発生した伝票の整理、本日の残務仕事（自宅において処理すべき書類）があれば、忘れないよう机に出し、カバンをカバン置き場（５ａ）に収納する。
このように、身支度動線配慮スペースを利用することで、帰宅時にも、手洗いうがいの励行や、身支度に使用した物の整理が瞬時に行え、アクセサリーを無くしたり、手袋を無くしたりすることがなくなる。また、溜まり勝ちな郵便物の処理や返信の処理が帰宅時にシステム的に行うことも可能となり、時間を効率良く利用することができる。
［実施例２］
本発明の第２実施例について、図２を参照して説明する。図２は、身支度のスペースを１つの部屋として設計した実施例を示す説明図である。図３は身支度の動線を図示したものである。
図において、実施例１と同一符号は同一のスペースを示す。図において、（１０）は身支度用部屋であり、（７）は種類別収納棚である。この棚の使い方は自由であり、たとえば、（７ａ）がＣＤ収納棚、（７ｂ）がカセット収納棚，（７ｃ）が香水棚というように、その日の気分で、外出時に聞きたいＣＤを選んだり、その日の外出の服装に合わせて香水が選べるように取りやすく工夫された棚である。一般に壁一面を棚にする場合もあるが、その場合であれば、どこからどこまでが１種類のまとまりかわかりにくく、好ましくなかった。（写真でいただいている十文字形の棚も図示してみようかと思っています。）
このように、１つの部屋そのものを身支度用に使用すると、単なるスペースを身支度用に使用する場合に比べて、落ち着いて身支度が可能となり、また、少し時間があれば、その日の仕事の段取りを考えたり、音楽を聞いて神経を仕事に向くように調整して出かけるというようなことも可能となる。また、１つの部屋であれば、ある程度のスぺースが確保できるため、夫婦共働きのような場合は、事務スペース・全身鏡・洗面は共通とし、クロゼット（２）と収納棚（７）は複数設けるなどの工夫が可能となる。また、独立した部屋であるため、帰宅後や休日には書斎として使用するなども可能である。このような身支度用部屋の利用動線は図３のようになる。実線が出かける場合の動線であり、点線が帰宅時の動線の一例となる。
［実施例３］
本発明の第３実施例について、図４（ａ）を参照して説明する。図４（ａ）は、身支度用の設備と住宅内の本設備との連携を図った実施例である。たとえば、身支度用の簡易洗面においても、本来の洗面においても、手を洗う石鹸やコンタクト用の洗浄液は共通であり、化粧品においても同様で、住宅内に2箇所の設備を設けると、それぞれ２つづつ用意する必要があったがこれは非常に無駄である。そこで、簡易洗面を本来の洗面の裏手、すなわち、背中合わせとなるよう設定し、一部壁を設けず、どちらからも、洗浄液等が取れるように工夫したものである。このようにすることで、１つの洗剤やコンタクト、化粧品を取りに行くために家の中を走り回るということがなくなり、時間の節約と収納の簡素化に役立つ。さらに、図示していないが、身支度スペースで出た洗濯物も、本来の洗濯室からも取り出せるようにすると家事効率が良くなる。
［実施例４］
本発明の第４実施例について、図４（ｂ）を参照して説明する。図４（ｂ）は、玄関脇に身支度用システムユニット（１１）を設置した実施例である。さらに、この身支度用システムユニットでは、大人用のみにも使用可能であるが、子供が小さい場合も想定して、主にシステムユニットの下方を子供用ユニット（１７）に流用可能としている。（１６）が大人用ユニット、（１３）が玄関、（１４）が廊下、（１５）が簡易洗面であり、子供も使用可能なように高さを低めにしている。（１５ａ）はメモボード、（１５ｂ）はカギ置き場であり、帰宅した子供が手う前にカギを置き、手を洗いながらメモを見て母親の伝言が目に付くようになっている。
今、母親と子供（５歳、幼稚園）のお出かけを想定してみよう。子供はあまり、外との接触が苦手で、幼稚園に行きたがらないとしよう。このような状況でも、子供は一般に親の真似を好んで行う傾向があるので、上は母親、下は子供用のお出かけ用家具ということをいい聞かせておく。そして、母親といっしょに身支度を習得させるように、母親が模範を示しながら、子供に真似させるようにする。母親がハンカチを取り出すと自分もハンカチを取り出し、母親が着替えはじめると、真似をして子供も下の扉を開くという風に、うまく真似心を利用することが可能となる。子供が成長した後は、子供用のスペースもカバン置き場や、帽子置き場等大人用の身支度動線配慮スペースに復活させれば良い。
このように、本発明の身支度用システムユニットは、廊下の左右にそれぞれ１ユニットを設置して、夫と妻でそれぞれ１ユニットずつ利用しても良いし、上下流用型ユニットとして子供用にも対応可能としても良い。さらに、実施例１に示した各スペース（２）から（５）を各ユニットとして、必要なもののみを組み合わせてセットとすることが可能である。
【手続補正２】
【補正対象書類名】図面
【補正対象項目名】図１
【補正方法】変更
【補正の内容】
【図１】
2004011119.tif 000001